(57)【要約】【課題】簡易構造で効果的なマッサージ効果を得ることができる美容器具を提供する。【解決手段】ハンドル２の端部に対向する一対の回転可能な施療子６，７が設けられている。少なくとも一対の施療子６，７のうちの一方が、テラヘルツ波を放射する放射部材で構成されている。【選択図】図１
2018050916.tif 000002
【特許請求の範囲】
【請求項１】
ハンドルの端部に対向する一対の回転可能な施療子が設けられた美容器具であって、少なくとも前記一対の施療子のうちの一方が、テラヘルツ波を放射する放射部材で構成されたことを特徴とする美容器具。
【請求項２】
前記ハンドルが、テラヘルツ波を放射する放射部材で構成されたことを特徴とする請求項１に記載の美容器具。
【発明の詳細な説明】
【技術分野】
【０００１】
本発明は美容器具に関する。
【背景技術】
【０００２】
特許文献１には、把持部を備えた本体部の端部に、一対の施療子が設けられた美容マッサージ機が開示されている。この美容マッサージ機は、一対の施療子を顔や腕等の施療部の肌に押し付けて回転させながら移動させることで、施療部をマッサージすることができる。
【０００３】
また、この美容マッサージ機は、駆動モーターを駆動することで一対の施療子を近接離反させる揺動機構を備えている。このため、揺動機構により一対の施療子を揺動させることで、施療部を挟み込んで効果的なマッサージを行うことができる。
【先行技術文献】
【特許文献】
【０００４】
【特許文献１】特開２０１５−２２８号公報
【発明の概要】
【発明が解決しようとする課題】
【０００５】
前記特許文献１には、施療部にテラヘルツ波を当てることが開示されていない。
【０００６】
本発明は前記事情に鑑みてなされたものであって、施療部にテラヘルツ波を当てて、効果的なマッサージを行うことができる美容器具を提供することを目的とする。
【課題を解決するための手段】
【０００７】
前記目的を達成するために本発明に係る一態様の美容器具は、ハンドルの端部に対向する一対の回転可能な施療子が設けられた美容器具であって、少なくとも前記一対の施療子のうちの一方が、テラヘルツ波を放射する放射部材で構成されたことを特徴とする。
【発明の効果】
【０００８】
本発明に係る一態様の美容器具は、施療子から放射されたテラヘルツ波を施療部に当てて、効果的なマッサージを行うことができる。
【図面の簡単な説明】
【０００９】
【図１】図１は、本発明に係る一実施形態の美容器具の斜視図である。
【図２】図２Ａは、同上の美容器具の正面図であり、図２Ｂは同上の美容器具の側面図である。
【発明を実施するための形態】
【００１０】
以下に示す実施形態は、美容器具に関し、詳しくは、ハンドルの端部に一対の回転可能な施療子が設けられた美容器具に関する。
【００１１】
図１、図２Ａ及び図２Ｂに示す本実施形態の美容器具１は、人体の顔や腕、脚等の施療部を手動によりマッサージを行うマッサージ器具である。なお、以下では、各図に示した方向を用いて説明する。
【００１２】
美容器具１は、左右対称形状であり、ハンドル２と、ハンドル２の上端部に設けられた左右一対の施療子６，７とを具備している。
【００１３】
ハンドル２及び各施療子６，７は、例えばＡＢＳ樹脂製の本体部分の表面にメッキが施されて形成される。
【００１４】
ハンドル２は、図２Ａに示すように、正面視Ｙ字状に形成されており、利用者によって把持される把持部２０と、把持部２０の上端部から二股に分かれた一対の支持部２１，２２とを備えている。
【００１５】
把持部２０は、縦長であり、図２Ｂに示すように、上下方向の中間部が前方に突出するように弧状に湾曲している。また、把持部２０は、図２Ａに示すように、上端（一対の支持部２１，２２側の端）に近い部分ほど徐々に細くなっている。
【００１６】
把持部２０から分岐した一対の支持部２１，２２は、一対の施療子６，７をそれぞれ回転可能に支持している。一対の支持部２１，２２の各々は、把持部２０から上側に向かって突出している。各支持部２１，２２は、一対の支持部２１，２２の間隔が、把持部２０から上方に離れる程長くなるように傾斜している。
【００１７】
各支持部２１，２２の上部（把持部２０とは反対側の部分）には、施療子６，７が回転可能に設けられている。本実施形態の各施療子６，７の回転軸方向は、対応する支持部２１，２２の長手方向と平行であり、一方の施療子６の回転中心線Ｌ１と他方の施療子７の回転中心線Ｌ２は、把持部２０において交差している。また、各施療子６，７の回転中心線Ｌ１，Ｌ２は、図２に示すように上方程後方に位置するように傾斜している。
【００１８】
各施療子６は、球面に近似した外面を有する中空の多面体で構成されており、対応する支持部２１，２２の上部を覆っている。具体的に各施療子６の外面は、対応する支持部２１，２２の長手方向に長く、かつ対応する支持部２１，２２の長手方向において支持部２１，２２から離れた部分程、真球面に近づくような楕円球面に近似した面である。
【００１９】
一対の施療子６，７は、左右方向に離間しており、対向している。一対の施療子６，７の間隔は、上方程長くなっている。このため、一対の施療子６，７が、顔や腕、脚等の施療部に押し当てられた状態で、当該施療部の皮膚に沿って把持部２０側に転動すると、当該施療部の皮膚が一対の施療子６，７によって挟まれて持ち上げられる。
【００２０】
美容器具１は、前述した各施療子６，７、及びハンドル２が、テラヘルツ波を放射する放射部材で構成されており、これにより、各施療子６，７及びハンドル２は、テラヘルツ波を放射している。
【００２１】
テラヘルツ波とは、０．１ＴＨｚ以上１００ＴＨｚ以下の周波数を有する電磁波である。テラヘルツ波は、電波と光波の中間領域の波長であり、電波の性質である物質透過性を有し、さらに光波の性質である直進性を有する。テラヘルツ波の周波数は、多くの原子や分子の固有振動数とほぼ等しい。
【００２２】
各施療子６，７及びハンドル２は、例えば以下の方法により所定の周波数のテラヘルツ波を放射するようになる。
【００２３】
第１の方法は、各施療子６，７及びハンドル２に対してテラヘルツ波を所定時間照射する方法である。このとき照射されるテラヘルツ波は、例えば、フェムト秒レーザー光を光伝導素子や光整流素子に照射するなど、電気回路を用いて発生させることができる。また、テラヘルツ波は、例えば、アルミニウム、シリコン、ゲルマニウム、セラミックス等に低周波電力を加えることにより発生させることができる。前記所定時間は、例えば２時間以上１２時間以下であり、各施療子６，７の材質や形状、ハンドル２の材質や形状等に応じて適宜決定される。なお、各施療子６，７及びハンドル２にテラヘルツ波を照射する際、周囲の温度は２０℃以上１００℃以下であることが好ましい。
【００２４】
各施療子６，７及びハンドル２からテラヘルツ波を発生させる第２の方法は、各施療子６，７及びハンドル２を構成する材料にテラヘルツ波を発生する物質を混合することである。テラヘルツ波を発生する物質としては、例えば深成岩であるケイ酸塩鉱物が挙げられる。ケイ酸塩化合物は例えば玄武岩や安山岩等である。
【００２５】
ケイ酸塩鉱物は、例えばパウダー状にされた上で活性炭が加えられ、このパウダーが無酸素状態の空間で１２００℃以上の温度で約十時間加熱し焼結された後、この焼結させた物質が砕かれてパウダー状にされる。そして、このパウダーが各施療子６，７の材料及びハンドル２の材料に混合されたり、各施療子６，７及びハンドル２に塗布されたりすることにより、各施療子６，７及びハンドル２は、テラヘルツ波を放射するようになる。
【００２６】
利用者は本実施形態の美容器具１を例えば以下のように利用する。利用者は、まず、ハンドル２の把持部２０を把持して、一対の施療子６，７を施療部である自身の体の一部に押し付ける。ここで、施療部としては、前述した顔、腕、脚の他、首や肩、尻、手、足等であってもよい。
【００２７】
続いて利用者は、一対の施療子６，７を施療部の皮膚に押し付けた状態で、把持部２０を一対の施療子６，７とは反対側に移動することで、一対の施療子６，７を施療部の肌に沿って転動させる。これにより、一対の施療子６，７によって施療部の皮膚が順次挟まれるマッサージが行われる。このマッサージにより、施療部における凝りや疲れ、血流の流れが改善され、また、施療部の皮膚が一対の施療子６，７で持ち上げられるリフトアップ効果も得られる。
【００２８】
また、上述のようなマッサージを行っているとき、一対の施療子６，７から放射されたテラヘルツ波（微弱振動波）が、一対の施療子６，７で挟まれた施療部の皮膚に当たる。このため、微弱振動波であるテラヘルツ波が、施療部に刺激を与え、これにより、マッサージ効果が高まり、また、施療部における血流やリンパの流れが促進される効果や、リラックス効果も期待できる。また、テラヘルツ波の効果により、施療部における化粧水や美容液の浸透力も高まりやすくなり、化粧水や美容液等を塗った顔等をマッサージした場合には、化粧乗りの向上も期待できる。また、ハンドル２から放射されたテラヘルツ波は、利用者のハンドル２を把持する手に当たるため、上述したテラヘルツ波による効果を利用者の手にも与えることができる。
【００２９】
なお、本実施形態の美容器具１にあっては、適宜設計変更可能である。例えば、ハンドル２や、各施療子６，７の形状は、特に制限されない。例えば、各施療子６，７の形状は、例えば真球状であってもよいし、円筒状であってもよい。また、ハンドル２及び各施療子６，７は、合成樹脂のみ、あるいは金属のみから形成されてもよい。
【００３０】
また、本実施形態では、美容器具１全体がテラヘルツ波を放射する放射部材で構成されているが、ハンドル２はテラヘルツ波を放射する放射部材以外の材料から形成されてもよく、また、一対の施療子６，７のうちのいずれか一方の施療子のみがテラヘルツ波を放射する放射部材で構成されてもよい。
【００３１】
以上説明した実施形態の美容器具１は、ハンドル２の端部に対向する一対の回転可能な施療子６，７が設けられた美容器具１であって、以下の特徴を有している。少なくとも一対の施療子６，７のうちの一方が、テラヘルツ波を放射する放射部材で構成されている。以下、この特徴を有する美容器具１を、第１の態様の美容器具１という。
【００３２】
第１の態様の美容器具１は、一対の施療子６，７により、人体の一部である施療部のマッサージを行ったとき、施療子から照射されたテラヘルツ波を、施療部に当てることができる。このため、施療部には、一対の施療子６，７により挟み込むことによる物理的なマッサージ効果に加えて、テラヘルツ波による効果を与えることができる。また、このテラヘルツ波は、施療子６，７から放射されるため、美容器具１は複雑な構造になり難い。
【００３３】
また、前記実施形態の美容器具１は、第１の態様の美容器具１の特徴に加えて、以下に示す付加的な特徴を有する。ハンドル２が、テラヘルツ波を放射する放射部材で構成されている。以下、この特徴を有する美容器具１を第２の態様の美容器具１という。
【００３４】
第２の態様の美容器具１にあっては、ハンドル２から放射されたテラヘルツ波を、ハンドル２を把持する利用者の手に当てることができる。このため、利用者の手にもテラヘルツ波による効果を与えることができる。
【符号の説明】
【００３５】
１  美容器具
２  ハンドル
６  施療子
７  施療子
【図１】
2018050916.tif 000003
【図２】
2018050916.tif 000004